(57)【要約】【課題】録画した放送データを再生する際に、デジタル放送受信装置単体で、視聴者にＣＭを強制的に視聴させる等、再生の仕方を任意にコントロールすることのできるデジタル放送受信装置を提供する。【解決手段】デジタル放送を受信する受信手段と、受信部により受信した放送データを記憶装置に格納する記録手段と、記憶装置に格納された放送データを再生する再生制御手段と、を備えるデジタル放送受信装置であって、放送データは、再生制御フラグを含み、再生制御手段は、再生中の箇所に対応する再生制御フラグを参照して、放送データの再生の仕方を制御する。かかる発明によれば、録画したデジタル放送を再生する際に、再生中の箇所に対応する再生制御フラグに基づいて、デジタル放送受信装置単体で、再生の仕方を任意に制御することが可能になる。【選択図】図２
2009272808.tif 000002
【特許請求の範囲】
【請求項１】
デジタル放送を受信する受信手段と、
前記受信部により受信した放送データを記憶装置に格納する記録手段と、
前記記憶装置に格納された放送データを再生する再生制御手段と、
を備え、
前記放送データは、再生制御フラグを含み、
前記再生制御手段は、再生中の箇所に対応する再生制御フラグを参照して、放送データの再生の仕方を制御する、
ことを特徴とするデジタル放送受信装置。
【請求項２】
ユーザからの指示を入力する入力手段をさらに備え、
前記再生制御手段は、前記入力手段によってユーザからの指示が入力されたとき、再生中の箇所に対応する再生制御フラグに応じて、前記入力された指示に基づく処理を実行するか否かを決定する、
ことを特徴とする請求項１記載のデジタル放送受信装置。
【請求項３】
前記再生制御フラグは、早送りの許可又は禁止を表すフラグ情報であり、
前記再生制御手段は、前記入力手段がユーザから早送りの指示を受け付けたとき、再生中の放送データに含まれる再生制御フラグが早送りの許可を示す場合には、再生中の放送データを早送りで再生し、前記再生制御フラグが早送りの禁止を示す場合には、前記入力部で受け付けたユーザからの指示を無効とし、再生中の放送データの早送りを禁止して通常速度で放送データを再生する、
ことを特徴とする請求項２記載のデジタル放送受信装置。
【請求項４】
前記再生制御フラグは、ＣＭに対応する箇所では早送り禁止に設定する、
ことを特徴とする請求項３記載のデジタル放送受信装置。
【請求項５】
前記再生制御フラグは、イベント情報テーブルに含まれる、
ことを特徴とする請求項１乃至４のいずれかに記載のデジタル放送受信装置。
【請求項６】
デジタル放送を受信、記録、及び再生可能なデジタル放送受信装置において、記録した放送データを再生する方法であって、
放送データの再生中に、当該放送データに含まれる再生制御フラグであって、再生中の箇所に対応する再生制御フラグを参照するステップと、
参照した再生制御フラグに応じて、放送データの再生の仕方を制御するステップと、
を備えることを特徴とするデジタル放送再生方法。
【請求項７】
請求項６に記載のデジタル放送再生方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、デジタル放送の受信及び再生方式に関する。
【背景技術】
【０００２】
従来、放送データを録画する際に、放送データに含まれるＣＭ（Commercial Message）データを消去又はスキップしたり、ＣＭを最初に再生したりすることにより、番組をＣＭにより分断されることなく視聴者に提供する放送記録装置が知られている（例えば、特許文献１参照）。
【特許文献１】特開２００７−２１４６７２号公報
【発明の開示】
【発明が解決しようとする課題】
【０００３】
ところで、従来の放送記録装置では、ＣＭデータを消去又はスキップすると、視聴者はＣＭによって分断されることなく番組を視聴できるが、番組のスポンサーにとっては、ＣＭが視聴されないことになるため、広告効果が減少してしまうというデメリットがある。
【０００４】
一方、特許文献１に記載の記録再生方式の場合、ＣＭを強制的に最初に再生するため、広告効果の向上を期待できる。しかし、この方式では、専用のサーバを新たに用意する必要があることに加え、放送記録装置が通信機能を備え、専用サーバからＣＭが放送された時刻を示す放送結果データを取得する必要があり、放送記録装置単体で当該記録再生方式を実現することはできないという問題が指摘されている。
【０００５】
本発明は、かかる事情に鑑みてなされたものであり、録画した放送データを再生する際に、ＣＭや番組内の所定のコーナー等をスキップさせないで通常速度で再生するよう強制的に制御することのできるデジタル放送受信装置を提供することを目的とする。
【０００６】
また、本発明は、専用のサーバや放送結果データを利用することなく、放送局等から送信される放送データに含まれるデータのみを利用して、デジタル放送受信装置単体で、再生の仕方を任意にコントロールすることのできるデジタル放送受信装置を提供することを目的とする。
【課題を解決するための手段】
【０００７】
上記課題を解決するために、本発明によるデジタル放送受信装置は、デジタル放送を受信する受信手段と、受信部により受信した放送データを記憶装置に格納する記録手段と、記憶装置に格納された放送データを再生する再生制御手段と、を備え、放送データは、再生制御フラグを含み、再生制御手段は、再生中の箇所に対応する再生制御フラグを参照して、放送データの再生の仕方を制御する。かかる発明によれば、録画したデジタル放送を再生する際に、再生中の箇所に対応する再生制御フラグに基づいて、デジタル放送受信装置単体で、再生の仕方を任意に制御することが可能になる。
【０００８】
また、好適には、ユーザからの指示を入力する入力手段をさらに備え、再生制御手段は、入力手段によってユーザからの指示が入力されたとき、再生中の箇所に対応する再生制御フラグに応じて、入力された指示に基づく処理を実行するか否かを決定する。録画したデジタル放送を再生する際に、再生中の箇所に対応する再生制御フラグに基づいて、入力された指示に基づく処理を実行するか否かを決定できる。
【０００９】
さらに好適には、再生制御フラグは、早送りの許可又は禁止を表すフラグ情報であり、再生制御手段は、入力手段がユーザから早送りの指示を受け付けたとき、再生中の放送データに含まれる再生制御フラグが早送りの許可を示す場合には、再生中の放送データを早送りで再生し、再生制御フラグが早送りの禁止を示す場合には、入力部で受け付けたユーザからの指示を無効とし、再生中の放送データの早送りを禁止して通常速度で放送データを再生する。かかる発明によれば、ユーザから早送りやスキップの指示が入力された際に、早送りやスキップ処理を禁止することが可能になる。したがって、再生制御フラグを放送局等の側で設定することによって、放送データの任意の箇所について、早送りの許可又は禁止をコントロールできるようになる。
【００１０】
また、好適には、再生制御フラグは、ＣＭに対応する箇所では早送り禁止に設定する。かかる発明によれば、放送局等の側で、ＣＭの部分に早送り禁止フラグを立てておけば、録画した放送データを再生する際に、視聴者によるＣＭの早送りやスキップを禁止することができる。こうして、ＣＭの部分については通常速度でのみ再生を認めるようコントロールできるため、視聴者にＣＭを強制的に視聴させることが可能になる。
【００１１】
さらに好適には、再生制御フラグは、イベント情報テーブルに含まれる。かかる発明によれば、既存のデジタル放送の規格に準拠した形式で、ＣＭの早送り禁止等、再生の仕方を任意にコントロールできるようになる。
【００１２】
また、本発明によるデジタル放送再生方法は、デジタル放送を受信、記録、及び再生可能なデジタル放送受信装置において、記録した放送データを再生する方法であって、放送データの再生中に、当該放送データに含まれる再生制御フラグであって、再生中の箇所に対応する再生制御フラグを参照するステップと、参照した再生制御フラグに応じて、放送データの再生の仕方を制御するステップと、を備える。
【００１３】
本発明のプログラムは、本発明のデジタル放送再生方法の各処理ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１４】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１５】
本発明のデジタル放送受信装置によれば、録画した放送データを再生する際に、ＣＭや番組内の所定のコーナー等をスキップさせないで通常速度で再生するよう強制的に制御することができる。また、専用のサーバや放送結果データを利用することなく、放送局等から送信される放送データに含まれるデータのみを利用して、デジタル放送受信装置単体で、再生の仕方を任意にコントロールできる。このため、本発明によれば、放送局等の側で、デジタル放送受信装置に録画される番組等の再生方法を、任意に指定できるようになる。
【発明を実施するための最良の形態】
【００１６】
以下、本発明の実施の形態について図面を参照しつつ詳細に説明する。なお、同一の要素には同一の符号を付し、重複する説明を省略する。
【００１７】
図１は、本発明の一実施形態に係るデジタル放送受信装置１０を含むデジタル放送システム１００の概略構成を示すブロック図である。図１に示すように、デジタル放送システム１００は、デジタル放送送出システム３０と、デジタル放送受信装置１０と、出力装置２０と、を備えて構成される。
【００１８】
デジタル放送受信装置１０は、デジタル放送を受信可能な装置である。好適には、受信した番組を記録再生可能な装置である。例えば、デジタル放送対応レコーダである。
【００１９】
出力装置２０は、デジタル放送受信装置１０で受信された放送データを再生するときに、映像及び音声を出力可能な装置である。
【００２０】
なお、デジタル放送受信装置１０と出力装置２０は、例えば、レコーダとディスプレイのように、それぞれを別体として構成してもよいし、モバイル向けの地上デジタル放送であるワンセグ（携帯電話・移動体端末向けの１セグメント部分受信サービス）を視聴可能な携帯電話機のように、両者を一体化してデジタル放送受信装置１０が出力装置２０を含むように構成してもよい。また、デジタル放送受信装置１０は、必ずしも単一の機器で構成される必要もない。
【００２１】
デジタル放送受信装置１０の実施例としては、特に、ワンセグ放送に対応した携帯電話機等の携帯型端末装置が好ましいが、他にも例えば、ワンセグチューナを備えるパーソナルコンピュータ（ＰＣ）や、デジタル放送受信可能なセットトップボックス（ＳＴＢ）などを適用可能である。また、出力装置２０としては、例えば、デジタル放送受信可能なデジタルテレビと二次元コード読取り機能を有する携帯電話機とからなるものとして捉えてもよいし、地上波デジタル受信用チューナを取り付けたアナログ放送受信用テレビを利用してもよい。デジタル放送受信装置１０と出力装置２０の間の通信方法は、有線であるか無線であるかを問わない。
【００２２】
デジタル放送送出システム３０は、いわゆる放送局に対応するものであり、デジタル放送で番組を構成する要素（映像、音声、データ放送のデータ）をデジタル化し、多重化して送出する。これらの要素は、いくつかの放送チャンネル又は番組を束ねてデジタル放送受信装置１０を含むデジタル放送受信機が受信可能なストリーム形式であるＴＳ（トランスポートストリーム）となって送出される。
【００２３】
また、ＴＳは放送網もしくは通信回線を介して伝送される。この放送網や通信回線は、有線であるか無線であるかを問わない。なお、図１は、デジタル放送受信装置１０と出力装置２０が別体に構成される場合の一例として、レコーダ（デジタル放送受信装置１０）が有線でデジタル放送を受信する場合を想定したブロック図が記載されているが、レコーダが無線でデジタル放送を受信してもよいことは言うまでもない。
【００２４】
図２は、デジタル放送受信装置１０の概略構成の一例を示すブロック図である。図２に示すように、デジタル放送受信装置１０は、アンテナ１０２、チューナ部１０４、ＨＤＤ１０６、デコーダ１０８、エンコーダ１１０、入力部１１２、ＣＰＵ（Central Processing Unit）１１６、ＲＡＭ（Random Access Memory）１１８、記憶部１２０等を備えて構成される。
【００２５】
アンテナ１０２は、例えば、パラボラアンテナやＵＨＦアンテナ等であり、デジタル放送波を受信し、ＲＦ（Radio Frequency）信号をチューナ部１０４に出力する。これにより、アンテナ１０２は、受信手段の一部として機能する。なお、ＣＡＴＶ回線を介して放送データを受信する場合には、アンテナ１０２の代わりに、接続ケーブル（図示略）等が備えられてもよい。
【００２６】
チューナ部１０４は、例えば、ミキサ（図示略）、選局回路（図示略）、Ａ／Ｄ変換回路（図示略）等を備えて構成され、ミキサ、選局回路等により、アンテナ１０２から入力されたＲＦ信号がユーザが所望するチャンネルのＩＦ（Intermediate Frequency）信号に変換され、Ａ／Ｄ変換回路により、生成されたＩＦ信号がデジタルデータである放送データに変換される。これにより、チューナ部１０４は、アンテナ１０２とともに受信手段の一部として機能する。
【００２７】
ＨＤＤ１０６は、例えば、磁気的記録媒体等を備えて構成される。ＣＰＵ１１６が後述する録画プログラム１２２を実行することにより、放送データが、このＨＤＤ１０６に記録される。これにより、ＨＤＤ１０６は、記憶装置として機能する。
【００２８】
デコーダ１０８は、例えば、チューナ部１０４又はＨＤＤ１０６から入力される放送データに復号処理等を行って、出力装置２０等に出力する。
【００２９】
エンコーダ１１０は、例えば、デコーダ１０８により復号処理された放送データに符号化処理を行って、ＨＤＤ１０６等に出力する。
【００３０】
入力部１１２は、例えば、各種の操作信号を入力するための各種のキー等を備え、ユーザにより操作されることによって、各種の操作信号をＣＰＵ１１６に出力する。より具体的には、入力部１１２は、ユーザの操作によって、例えば、ＨＤＤ１０６に記録された放送データの中から所望の番組の再生を指示する操作信号や、再生中の番組の早送りを指示する操作信号を、ＣＰＵ１１６に出力する。これにより、入力部１１２は、入力手段として機能する。
【００３１】
ＣＰＵ１１６は、記憶部１２０に格納された処理プログラム等を読み出して、ＲＡＭ１１８に展開して実行することにより、デジタル放送受信装置１０全体の制御を行う。
【００３２】
ＲＡＭ１１８は、ＣＰＵ１１６により実行された処理プログラム等を、ＲＡＭ１１８内のプログラム格納領域に展開するとともに、入力データや上記処理プログラムが実行される際に生じる処理結果等をデータ格納領域に格納する。
【００３３】
記憶部１２０は、例えば、プログラムやデータ等が予め記憶されている記録媒体を有しており、この記録媒体は、例えば、半導体メモリ等で構成されている。また、記憶部１２０は、ＣＰＵ１１６がデジタル放送受信装置１０全体を制御する機能を実現させるための各種データ、各種処理プログラム、及びこれらプログラムの実行により処理されたデータ等を記憶する。
【００３４】
より具体的には、記憶部１２０は、例えば、図２に示すように、録画プログラム１２２と、再生制御プログラム１２４とを格納している。
【００３５】
録画プログラム１２２は、例えば、ＣＰＵ１１６に、アンテナ１０２により受信され、チューナ部１０４から出力される放送データをＨＤＤ１０６に記憶させることにより、放送データを録画する機能を実現させるプログラムである。より具体的には、録画プログラム１２２は、ＣＰＵ１１６に、入力部１１２を介してなされたユーザからの指示に基づいて、チューナ部１０４を制御して放送データをＨＤＤ１０６へ記録する制御を行う機能を実現させるプログラムである。ＣＰＵ１１６は、かかる録画プログラム１２２を実行することにより、記録手段として機能する。
【００３６】
再生制御プログラム１２４は、例えば、ＣＰＵ１１６に、ユーザにより入力部１１２が操作されてＨＤＤ１０６に記憶された放送データの再生を指示する操作信号が入力された場合に、デコーダ１０８を制御してＨＤＤ１０６に記憶された放送データに復号処理等を行わせ、出力装置２０に出力させる。この再生処理に並行して、当該放送データに早送り禁止フラグが付加されているか否かを判断して、早送り禁止フラグが付加されている放送データの再生中には、入力部１１２から早送りを指示する操作信号が入力されても、当該操作信号を無効にして、早送りしないで通常速度で放送データを再生させる制御を行う機能を実現させるプログラムである。ＣＰＵ１１６は、かかる再生制御プログラム１２４を実行することにより、再生制御手段として機能する。なお、再生制御プログラム１２４による処理の詳細は、後述する。
【００３７】
出力装置２０は、例えば、図２に示すように、表示部２２，音出力部２４等を備えて構成され、デコーダ１０８から出力される映像データ及び音声データに基づく映像及び音声を、それぞれ表示部２２及び音出力部２４に出力させる。
【００３８】
次に、デジタル放送送出システムから送出されるＴＳ（トランスポートストリーム）について説明する。
【００３９】
図３は、ＴＳの模式図の一例である。ＴＳとして伝送される情報は、放送番組（番組そのもの）と、放送ディレクトリ及び番組詳細情報と、限定受信用情報の３つに分類できる。
【００４０】
放送番組（番組そのもの）
デジタル放送での番組は、本線映像、本線音声、データ放送のデータ、から構成される。データ放送のデータは、ＢＭＬ（Broadcast Markup Language）で記述される。複数のＢＭＬファイルが集まって１つのデータ放送番組のデータとなる。図３でfile1、file2、．．、fileNはＢＭＬファイルを示す。データ放送の番組は、本線（いわゆる通常のテレビ放送）と同期する関連した内容である場合と、本線とは関係のない別の内容である場合とがある。
【００４１】
放送ディレクトリ・番組詳細情報
受信機が視聴者の選択した特定の番組やチャンネルを受信するには、番組とこれを構成するＴＳパケット群の対応、および、ＴＳパケットとそれを伝送するトランスポンダの対応が必要となる。個々の番組には、番組を一意に識別できるイベントＩＤが振られており、番組とチャンネル、チャンネルとパケットの識別番号との対応付けがなされている。このような番組の構成情報は、ＰＳＩ（Program Specific Information）と呼ばれるテーブル情報で伝送される。また、番組のタイトル、放送時間、チャンネル、番組内容等の詳細情報はＳＩ（サービス情報：Service Information）と呼ばれるデータ形式で送られる。
【００４２】
限定受信用情報
個々の受信機に対して、特定のチャンネル、あるいは特定の番組のみを受信可能に設定するための情報である。有料放送を実施するために、特定のチャンネルや特定の番組にスクランブルをかけ、指定された受信機（ＩＣカード番号）のみで視聴できるようにするための情報である視聴可否制御情報と、有料放送の課金処理（ＰＰＶ）に必要な視聴実績を記録・収集するための視聴実績収集情報がある。
【００４３】
なお、デジタル放送送出システム３０からは、番組放送中にイベントメッセージというトリガー信号を送ることができる。イベントメッセージは、番組のあるタイミングで、データ放送コンテンツの表示を変更させるなどの目的で使うことができる。
【００４４】
図４は、イベント情報セクション（Event Information Section）４０のフォーマットの概略を示す図である。
【００４５】
放送データ中のＳＩには、イベント情報テーブル（Event Information Table）が含まれている。イベント情報テーブルとは、番組（イベント）の情報等を提供するテーブルであり、現在放送中の番組と次に放送される番組の情報を提供するテーブルと、番組表に相当する情報を提供するテーブルが含まれ、例えば、現在放送中の番組のジャンル、番組名、番組内容、イベントＩＤ等が記述される。そして、イベント情報テーブルは、イベント情報セクションという信号形式で伝送される。
【００４６】
本実施形態において、このイベント情報セクション４０は、図４に示すように、イベントＩＤを格納する領域４１と、再生制御フラグを格納する領域４２を含む。本願出願時点において、イベントＩＤを格納する領域４１はＰＳＩ／ＳＩの規格に規定されているが、再生制御フラグを格納する領域４２は規格に規定されていない。そこで、現状の規格では特段利用されていない予備領域を利用して、再生制御フラグに関する情報を埋め込むことが好ましい。
【００４７】
イベントＩＤとは、デジタル放送においてそれぞれの番組を識別するために、典型的には番組毎にデジタル放送番組に付与される識別子である。なお、イベントＩＤを一つの番組単位で付与する代わりに、番組よりも小さい単位、例えば、番組の中の１コーナーやＣＭ等の単位で、イベントＩＤを付与するようにしても良い。
【００４８】
再生制御フラグは、本発明に特有の制御情報である。デジタル放送受信装置１０は、ＨＤＤ１０６に記録した放送データを再生するときに、この再生制御フラグを参照して、再生の仕方を制御する。例えば、再生制御フラグを利用して、早送りを禁止したり、輝度処理ＡＧＣ（Automatic Gain Control）回路を制御したりすることができる。
【００４９】
次に、デジタル放送受信装置１０の動作の概要について説明する。以下の実施例では、再生制御フラグを早送り禁止フラグとして利用する場合を示す。
【００５０】
図５は、デジタル放送送出システム３０から送出され、デジタル放送受信装置１０のＨＤＤ１０６に記録される放送データの一例を示す概略図である。デジタル放送受信装置１０で番組を録画すると、ＨＤＤ１０６には、映像や音声に加え、放送データに含まれるイベント情報テーブルの内容が記録される。このとき、イベント情報テーブルに含まれる再生制御フラグが、例えば図５に示すように、映像及び音声のデータに対応してＨＤＤ１０６に記録される。
【００５１】
図５に示す例では、デジタル放送送出システム３０から、番組本編５０、ＣＭ５１、番組本編５２、ＣＭ５３、番組本編５４が送出される。また、放送局などデジタル放送送出システム３０側で、放送データ中の各セクションの再生制御フラグが設定される。本実施例では、番組本編５０，５２，５４に対応付けて、早送り可を示す「０」が再生制御フラグ５５，５７，５９として設定される。また、ＣＭ５１，５３に対応付けて、早送り不可を示す「１」が再生制御フラグ５６，５８として設定される。そして、デジタル放送送出システム３０から番組本編及びＣＭの映像及び音声データ５０〜５４が送出されるとき、対応する再生制御フラグ５５〜５９がイベント情報セクション４０に埋め込まれて、映像及び音声データ５０〜５４とともに送出される。
【００５２】
デジタル放送受信装置１０は、放送データを録画するとき、番組本編やＣＭの映像及び音声データ５０〜５４をＨＤＤ１０６に記録するのみでなく、音声データ５０〜５４に対応する再生制御フラグ５５〜５９もＨＤＤ１０６に記録する。そして、録画した放送データを再生する際に、ＨＤＤ１０６に記録した再生制御フラグ５５〜５９が参照され、再生の仕方が制御される。
【００５３】
図６は、デジタル放送受信装置１０における再生制御処理の流れを示すフローチャートである。なお、放送データを録画する処理、録画した放送データを再生するまでの処理、及び再生停止処理は、再生制御フラグの記録が必須であること以外、従来の記録再生処理と同様である。
【００５４】
デジタル放送受信装置１０は、放送データの再生中に、入力部１１２を介して、ユーザからの指示が入力されたか否かを判断する（Ｓ６０）。ユーザから指示が入力されていなければ（Ｓ６０：ＮＯ）、これまでの状態を維持し、放送データを再生中であれば、そのまま再生処理を続ける。ただし、録画したデータが終了した場合には、再生処理を終了する。また、放送データを再生していない場合には、そのまま待機する。
【００５５】
一方、ユーザからの入力を受け付けた場合には（Ｓ６０：ＹＥＳ）、再生中或いは再生しようとしている箇所に対応する再生制御フラグをＨＤＤ１０６から読み出してステータスを確認する（Ｓ６１）。ここで、再生制御フラグが下りていれば（Ｓ６１：「０」）、入力された指示に基づく処理をそのまま実行する（Ｓ６２）。すなわち、ユーザが早送りを指示していれば、早送り処理（早送り再生を含む。）を実行し、巻き戻しを指示していれば、巻き戻し処理を実行する。一方、再生制御フラグが立っている場合（Ｓ６１：「１」）、再生制御フラグの種類に応じて、放送データの再生の仕方が制限されるよう制御される（Ｓ６３）。
【００５６】
例えば、再生制御フラグが、早送りの許可又は禁止を示すフラグ情報である場合、再生制御フラグが早送り不可を示す「１」であれば、早送り処理を禁止する。この場合、ユーザが入力部１１２から再生中の放送データの早送りを指示しても、早送りの指示を無効とし、早送り処理を行わず、通常速度での再生を続行する。ただし、ユーザから早送り以外の指示が入力された場合には、入力された指示に基づく処理を実行する。
【００５７】
これにより、図５に示すような、番組本編５０，５２，５４に対応付けて、再生制御フラグ５５，５７，５９に早送り可を示す「０」が設定され、また、ＣＭ５１，５３に対応付けて、再生制御フラグ５６，５８に早送り不可を示す「１」がとして設定される放送データを再生する場合、ユーザは、番組本編５０，５２，５４の再生時には、早送りを含む全ての操作を実行可能であるのに対し、ＣＭ５１，５３の再生時には、早送り処理を実行できない。したがって、本実施例では、録画したデジタル放送データを再生するとき、視聴者はＣＭを早送りすることができない。なお、早送り禁止フラグによって、早送り処理を禁止するのみならず、ＣＭのスキップ処理も禁止することが好ましい。
【００５８】
このように、本発明では、録画したデジタル放送を再生する際に、再生中の箇所に対応する再生制御フラグに基づいて、入力された指示に基づく処理を実行するか否かを決定する。再生制御フラグを早送り禁止フラグとして用いれば、ユーザから早送りの指示が入力された際に、早送り処理を禁止することが可能になる。したがって、再生制御フラグを放送局等の側で設定することによって、放送データの任意の箇所について、早送りの許可又は禁止をコントロールできるようになる。放送局等の側で、ＣＭの部分に早送り禁止フラグを立てておけば、録画した放送データを再生する際に、視聴者による早送りやスキップを禁止することができる。こうして、ＣＭの部分については通常速度でのみ再生を認めるようコントロールできるため、広告効果の向上が期待できる。
【００５９】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００６０】
本実施例では、ＣＭの早送りやスキップを禁止する例を示したが、ＣＭに限らず、番組内の任意のコーナーや任意の時間の早送りやスキップを禁止するようにしてもよい。すなわち、ＳＩ情報中の再生制御フラグを利用して、放送局等の側で、番組内の各コーナーやＣＭ毎に、早送りやスキップの可／不可を設定しておけば、デジタル放送受信装置１０は、録画した番組を再生する際、再生制御フラグを参照して、番組内の各コーナーやＣＭ毎に再生制御できるようになる。
【００６１】
また、本実施例では、再生制御フラグによって、早送りの許可又は禁止を制御する例を示したが、再生制御フラグを利用して、早送り処理のみに限らず、さまざまな処理を制御することが可能になる。例えば、再生制御フラグを利用して輝度処理ＡＧＣ（Automatic Gain Control）回路を制御する機能をコントロールすることによって、適切な輝度を保つために輝度入力信号の利得（ゲイン）を自動調整する機能を制御してもよい。
【図面の簡単な説明】
【００６２】
【図１】デジタル放送受信装置１０を含むデジタル放送システム１００の概略構成を示すブロック図である。
【図２】デジタル放送受信装置１０の概略構成の一例を示すブロック図である。
【図３】ＴＳ（トランスポートストリーム）の模式図の一例である。
【図４】イベント情報セクション（Event Information Section）４０のフォーマットの概略を示す図である。
【図５】デジタル放送送出システム３０から送出され、デジタル放送受信装置１０のＨＤＤ１０６に記録される放送データの一例を示す概略図である。
【図６】デジタル放送受信装置１０における再生制御処理の流れを示すフローチャートである。
【符号の説明】
【００６３】
１０   デジタル放送受信装置
２０   出力装置
２２   表示部
２４   音出力部
３０   デジタル放送送出システム
１００ デジタル放送システム
１０２ アンテナ（受信手段の一部）
１０４ チューナ部（受信手段の一部）
１０６ ＨＤＤ（記憶装置）
１０８ デコーダ
１１０ エンコーダ
１１２ 入力部（入力手段）
１１６ ＣＰＵ（記録手段、再生制御手段）
１１８ ＲＡＭ
１２０ 記憶部
１２２ 録画プログラム
１２４ 再生制御プログラム
【図１】
2009272808.tif 000003
【図２】
2009272808.tif 000004
【図３】
2009272808.tif 000005
【図４】
2009272808.tif 000006
【図５】
2009272808.tif 000007
【図６】
2009272808.tif 000008